(57)【要約】【課題】  動作不良や損傷の虞が無く、しかも、構造がシンプルであって、組立てが容易で、且つ、内部空間を有効に活用できるようにした携帯電話機を提供する。【解決手段】  使用者の耳穴内に挿入できる受話部を有する、折畳みタイプ、又はスライドタイプの携帯電話機である。この携帯電話機は、前記受話部を収容可能な切欠部が筐体の縁部、又は縁部近傍に設けられたことを特徴とするものである。受話部は、スピーカ内蔵タイプ、又は骨伝導可能な振動タイプのいずれでも良い。【選択図】図１
2009147680.tif 000002
【特許請求の範囲】
【請求項１】
使用者の耳穴内に挿入できる受話部を有する、折畳みタイプ、又はスライドタイプの携帯電話機であって、
前記受話部を収容可能な切欠部を筐体の縁部、又は縁部近傍に設けたことを特徴とする携帯電話機。
【請求項２】
前記受話部は前記切欠部内において横倒状態と起立状態とに変位可能に設けられ、該受話部は起立状態において、筐体の表面から突出してその先端側が使用者の耳穴内に挿入可能であることを特徴とする請求項１に記載の携帯電話機。
【請求項３】
前記受話部はスピーカを内蔵することによって、音声を音波で出力することを特徴とする請求項１又は請求項２に記載の携帯電話機。
【請求項４】
前記受話部は、スピーカを内蔵すると共に通話相手の音声を聞くための受話孔が前記受話部の側面と先端に設けられていることを特徴とする請求項２に記載の携帯電話機。
【請求項５】
前記受話部が振動することによって、音声を骨伝導で伝えることを特徴とする請求項１又は請求項２に記載の携帯電話機。
【発明の詳細な説明】
【技術分野】
【０００１】
本発明は、使用者の耳穴内に挿入できる受話部を備えた携帯電話機（携帯電話端末）に関する発明である。
【背景技術】
【０００２】
図２１は従来技術の携帯電話機１００である。第一筐体１０１と第二筐体１０２とが折り畳み自在に設けられている。第一筐体１０１には、受話部１０３が設けられ、第二筐体１０２には送話部１０４が設けられている。図中、１０５は第一筐体１０１の内表面に設けられた表示部を示し、１０６は第二筐体１０２の内表面に設けられた操作部を示す。
【発明の開示】
【発明が解決しようとする課題】
【０００３】
しかしながら、前記受話部１０３は第一筐体１０１に設けられた小さな開口で構成されているだけのために、使用者は、通話中、受話部１０３が使用者の耳に対面した位置にあるか、又は、受話部１０３が使用者の耳の位置からずれているかを自覚し難く、その結果、使用者は受話部１０３を耳に対面する位置に位置合わせし難く、使用者は、通話相手の音声を明瞭に聞き取れない場合があるという問題があった。
【０００４】
一方、特許文献１には、使用者が受話部を自分の耳の位置に容易に位置合わせすることで、通話相手の音声を明瞭に聞き取ることができ、しかも、雑音の大きな環境下であっても通話相手の音声を明瞭に聞き取ることができるようにした発明が開示されている。
【特許文献１】特開２００２−１１８６３２
【０００５】
特許文献１には、使用者の耳穴内に挿入できるイヤホンの形態に受話部を形成することで、使用時には、イヤホン形態の受話部を耳穴に挿入して、通話相手の音声を聞き取るようにした発明が記載されている。
【０００６】
特許文献１に記載の発明は、イヤホン形態の受話部が、携帯電話機の筐体に出没自在に設けられ、受話部は、使用時に、バネ力によって突出し、不使用時には、バネ力以上の手の力で、筐体内へ押し込まれる必要性のある構成になっている。
【０００７】
しかしながら、特許文献１に記載の発明においては、出没自在に設けられた受話部と、第一筐体との間の隙間に埃、塵等が詰まりやすく、仮に、当該隙間に埃、塵等が詰まった場合には、バネ力によっては、受話部を円滑に突出させることができないという動作不良を起こし易く、このような動作不良を起こした場合には、受話部を使用者の耳穴内に挿入できず、当該発明の本来の目的を達成できないという問題があった。
【０００８】
又、前記携帯電話機には、受話部が突出した状態で収容される構造が設けられていない。このため、使用者が、通話を終えた後に、受話部を突出させたまま誤ってポケットやバッグに入れた場合に受話部が損傷する虞があった。
【０００９】
更に、前記携帯電話機は、受話部がバネ力によって出没自在に収容される構成であるために、受話部を出没自在に収容するための機構として複雑で精巧な構成が必要になって、複雑な製造工程が必要になるだけでなく、故障の頻度も増えるという問題があった。
【００１０】
更に又、前記携帯電話機においては、受話部の表面はゴムのような肌触りの良い軟質の素材で覆うことが想定されるが、このように受話部の表面をゴムのような素材で覆った場合には、受話部を出没させる動作を繰り返すことによって、受話部の表面が損傷する虞が多くなって修繕の必要が多くなる問題があった。
【００１１】
又、携帯電話機は狭小な内部空間内に複雑で精巧な機構が設けられた構造をしているために、前述のように、受話部を出没させための構造を内部空間内に設けることによって、携帯電話機の内部空間が当該構造の配置スペース分だけ無駄になるという問題があった。
【００１２】
本発明は前記従来技術の問題点に鑑みてなされたもので、その目的は、動作不良や損傷の虞が無く、しかも、構造がシンプルであって、組立てが容易で、且つ、内部空間を有効に活用できるようにした携帯電話機を提供するにある。
【課題を解決するための手段】
【００１３】
請求項１に記載の発明は、使用者の耳穴内に挿入できる受話部を有する、折畳みタイプ、又はスライドタイプの携帯電話機であって、
前記受話部を収容可能な切欠部を筐体の縁部、又は縁部近傍に設けたことを特徴とするものである。
【００１４】
請求項２に記載の発明は、請求項１に記載の携帯電話機において、前記受話部は前記切欠部内において横倒状態と起立状態とに変位可能に設けられ、該受話部は起立状態において、筐体の表面から突出してその先端側が使用者の耳穴内に挿入可能であることを特徴とするものである。尚、より好ましくは、前記受話部は横倒状態において、その全体が前記筐体の表面から非突出状態で筐体内に収容可能である。
【００１５】
請求項３に記載の発明は、請求項１又は請求項２に記載の携帯電話機において、
前記受話部はスピーカを内蔵することによって、音声を音波で出力することを特徴とするものである。
【００１６】
請求項４に記載の発明は請求項２に記載の携帯電話機において
前記受話部は、スピーカを内蔵すると共に通話相手の音声を聞くための受話孔が前記受話部の側面と先端に設けられていることを特徴とするものである。
【００１７】
請求項５に記載の発明は、請求項１又は請求項２に記載の携帯電話機において、前記受話部が振動することによって、音声を骨伝導で伝えることを特徴とするものである。
【発明の効果】
【００１８】
請求項１に記載の発明によれば、受話部は、使用者の耳穴内に挿入できる形態に形成されているために、使用者は雑音の大きな環境下であっても雑音に邪魔されることなく、通話相手の音声を明瞭に聞き取ることができる。又、受話部は筐体の切欠部に入り込むように収容可能に形成されているために、携帯電話機は、突出した受話部に邪魔されることなく、折り畳み、又はスライドさせることができる。受話部は、出没の動作をすることなく、常時、突出した状態にあるために壊れにくく、受話部が動作不良を起こすことがない。
【００１９】
又、受話部は切欠部に収容されるために、携帯電話機をポケットやバッグに収容する際に、受話部はポケットやバッグに直接、触れる虞がなく、従って、受話部がポケットやバッグに触れる等して損傷する虞がない。
【００２０】
更に、受話部は突出したままの形態であるために、受話部を出没等させるための特別な構成が不要であって、受話部を出没させる構造を内部空間内に設ける必要がないために、構造がシンプルであって、組立てが容易になるだけでなく、内部空間内を他の用途に有効に活用することができる。
【００２１】
又、受話部を収容するための切欠部は、縁部を切り欠く形状に設けるために、該切欠部内に塵や埃等が堆積することがなく、その結果、該切欠部内に収容される受話部を清潔に保つことができる。
【００２２】
請求項２に記載の発明によれば、携帯電話機の不使用時には、受話部は切欠部内に横倒しの状態で収容され、使用時には、受話部を起立させて、耳穴内に挿入することによって、受話部をイヤホンと同様に使用することができて、通話相手の音声を明瞭に聞き取ることができる。
【００２３】
請求項３に記載の発明によれば、通話相手の音声を音波の形態で聞き取ることができる。
【００２４】
請求項４に記載の発明によれば、受話部を横倒しにした状態においては、使用者は、受話部の側面に設けられた受話孔から相手の音声を聞き取ることができ、受話部を起立させた状態においては、使用者は、受話部の先端に設けられた受話孔から通話相手の音声を聞き取ることができる。
【００２５】
請求項５に記載の発明によれば、骨伝導によって受話できるために、雑音の大きな環境下においても、明瞭に受話することができる。
【発明を実施するための最良の形態】
【００２６】
図１乃至図６は、本発明の第一実施形態を示す。この第一実施形態の携帯電話機１は、第一筐体２と第二筐体３とが、ヒンジ部４によって折畳み可能に連結された折畳みタイプの携帯電話機である。
【００２７】
第一筐体２は、表示部５が設けられた内表面６と、該内表面６の反対側に位置する裏面７と、周囲の側面８とで囲まれた形態をなしている。第二筐体３は、操作部Ｐ等が設けられた内表面９と、該内表面９の反対側に位置する裏面１０と、周囲の側面１１とで囲まれた形態をなしている。
【００２８】
この第一実施形態においては、当該携帯電話機１を開いた状態において、第一筐体２の上端部近傍に受話部１２が設けられ、第二筐体３の下端部近傍に送話部１３が設けられている。第一実施形態の受話部１２は、第一筐体２の内表面６からほぼ直角に突出して、使用者の耳穴内に挿入できる、いわゆる、イヤホンの形態に形成され、内部には通話相手の音声を音波で出力するためのスピーカ（図示せず）が内蔵され、先端には使用者が通話相手の音声を聞き取るための受話孔１４が設けられている。
【００２９】
第二筐体３には、図６に示すように、折り畳み式携帯電話機１を折畳んだ際に、前記受話部１２が入り込む形態の切欠部１５が形成されている。該切欠部１５は、第二筐体３の側面１１を内側へ凹ませることで、第二筐体３の縁部、又は縁部近傍の一部を切り欠いた形状に形成されている。
【００３０】
受話部１２と切欠部１５は、第一筐体２と第二筐体３とを折畳んだ際に互いに対向する位置に設けられている。
【００３１】
次に、作用について説明する。当該携帯電話機１で通話する場合、第一筐体２と第二筐体３とを開き、受話部１２を使用者の耳穴内に挿入することで、受話部１２を使用者の耳の位置に位置合わせする。このとき、送話部１３が、使用者の口の近傍に位置する。受話部１２が使用者の耳穴内に挿入されているために、周囲の雑音に邪魔されることなく、使用者は、通話相手の音声を明瞭に聞き取ることができる。
【００３２】
通話が終了した場合、図３中、矢印で示すように、第一筐体２と第二筐体３とを折り畳むと、図６に示すように、受話部１２が切欠部１５内に入り込んで収容される。このように、受話部１２が第二筐体３に当たることがないために、第一筐体２と第二筐体３は、突出した形態の受話部１２に邪魔されることなく、折り畳まれることができる。
【００３３】
この第一実施形態においては、受話部１２はイヤホンの形態に突出した形態であるために、騒音の大きな環境下であってもイヤホンを使用しているように明瞭に通話相手の音声を聞き取ることができる。
【００３４】
この第一実施形態においては、受話部１２は突出したままの形態であるために、受話部１２が突出不良となるような動作不良を来すことなく、受話部１２としての本来の機能を確実に奏功することができる。
【００３５】
この第一実施形態においては、切欠部１５が切欠け状に形成されて、切欠部１５が周囲へ開放された形状であるために、該切欠部１５内に塵、埃等が堆積することなく、該切欠部１５内を清潔に保つことができ、更には、該切欠部１５内に収容される受話部１２を清潔に保つことができる。
【００３６】
又、この第一実施形態においては、第一筐体２と第二筐体３を折り畳むことによって受話部１２は切欠部１５に収容されるために、携帯電話機１をポケットやバッグに収容する際に、受話部１２はポケットやバッグに直接、触れる虞がなく、従って、受話部１２がポケットやバッグに触れる等して損傷する虞がない。又、受話部１２は突出したままの形態であるために、受話部１２を出没等させるための特別な構成が不要であって、構造が簡単であるために容易に製造することができる。
【００３７】
更に、受話部１２は、突出したままの形態であるために、受話部１２を出没等させるための特別な構成が不要であって、受話部１２を出没させる構造を内部空間内に設ける必要がないために、内部空間内を他の用途に有効に活用することができる。
【００３８】
図７乃至図９は、第二実施形態を示す。この第二実施形態において、受話部１２の形態は第一実施形態の受話部１２と同様である。この第二実施形態の特徴は、受話部１２が収容される収容部２１を第二筐体３の内表面９から裏面１０側へ向けて凹部状に形成されている。収容部２１は、第二筐体３の裏面１０には到達しない深さ、即ち、有底状に形成されている。
【００３９】
この第二実施形態において、通話に際しては、第一実施形態と同様に、受話部１２を使用者の耳穴内に挿入する。そして、通話が終了した際には、図８中、矢印で示すように、第一筐体２と第二筐体３とを折り畳むことで、受話部１２が収容部２１内に入り込んで収容される。
【００４０】
この第二実施形態においては、収容部２１が有底状に形成されているために、受話部１２が収容部２１に収容される際には、受話部１２は収容部２１内から外部へ露出しない。このため、受話部１２が、使用者の衣服や周囲の物に触れたり、擦れる等して損傷する虞が少ない。
【００４１】
又、この第二実施形態においては、収容部２１の内面が滑らかな弧面で形成されていれば、塵、埃等が詰まり易い角隅部が存在しないために、収容部２１の内面に塵、埃等が詰まって汚損する虞が少なく、又、該収容部２１の内面を乾いた布で容易に拭くことができて該収容部２１内を清潔に保つことができ、その結果、受話部も清潔に保つことができる。
【００４２】
図１０乃至図１６は第三実施形態を示す。この第三実施形態において、図１１に示すように、受話部３１は、基端から先端へ向けて細長状に形成され、内部には通話相手の音声を音波で出力するためのスピーカＳが内蔵され、側面には第一の受話孔３２が設けられ、先端には第二の受話孔３３が設けられている。
【００４３】
又、第一筐体２の上側の縁部、即ち、上側の側面８を内側へ凹ませることで、第一筐体２の上側の縁部を切り欠いた形状の切欠部３４が凹状に形成されている。該切欠部３４には、前記受話部３１が収容される。図１４、図１６に示すように、受話部３１の基端側は、収容部３４内に設けられた軸３５に回転自在に取り付けられている。受話部３１は、軸３５に回転自在に取り付けられることで、図１５及び図１６に示す横倒状態と、図１２及び図１４に示す起立状態とに変位可能になっている。
【００４４】
横倒状態とは、図１６に示すように、受話部３１の軸線Ｌが、第一筐体２の内表面６に平行になる状態をいう。図１５に示すように、受話部３１が、横倒状態になった場合、第一の受話孔３２が、第一筐体２の内表面６側を向くように、受話部３１が切欠部３４内に取り付けられている。又、図１６に示すように、受話部３１が横倒しになった状態において、受話部３１は、第一筐体２の内表面６より上側に突出しない形態を成しているため、収容部３４内に収容し易い。
【００４５】
又、前記起立状態とは、図１４に示すように、受話部３１の軸線Ｌが、第一筐体２の内表面６とほぼ直交する状態をいう。起立状態において、受話部３１は、第二の受話孔３３が、第一筐体２の内表面６より突出する形態である。受話部３１は、図１５及び図１６に示す横倒し状態から、軸３５を回転中心にして、受話部３１を図１６中、矢印方向へ回転させることで、図１２乃至図１４に示す起立状態へ変位させることができる。
【００４６】
次に、作用について説明する。第一筐体２と第二筐体３とが折り畳んだ状態にあるとする。この状態においては、受話部３１が、切欠部３４内において、横倒状態にあって、受話部３１の存在が、第一筐体２と第二筐体３との折り畳み状態を邪魔しない。
【００４７】
次に、通話をする場合、図１５及び図１６に示すように、第一筐体２と第二筐体３とを開き、受話部３１の第一の受話孔３２を耳に宛がうことで、通話相手の音声を聞き取りながら、通話する。
【００４８】
又、雑音の大きな環境下で、通話する場合には、図１５及び図１６に示す横倒し状態の受話部３１を引き起こすようにして、図１２乃至図１４に示すように受話部３１を起立させる。
【００４９】
そして、使用者が、受話部３１の先端側を耳穴内に挿入することで、受話部３１をイヤホンと同様に使用することによって、周囲の雑音に邪魔されることなく、通話相手の音声を第二の受話孔３３から明瞭に聞き取ることができる。
【００５０】
以上の説明においては、第一筐体２と第二筐体３とが折り畳み自在に設けられた折畳み式の携帯電話機１を例に説明したが、この第三実施形態は、折畳み式以外の携帯電話機１にも適用することができるものである。
【００５１】
図１７は、第四実施形態を示す。前述の第三実施形態においては、切欠部３４を第一筐体２の上側の側面１１を内側へ凹ませるように切り欠け状に設けた場合について説明したが、この第四実施形態の特徴は、第一筐体２の横側の縁部の一部、即ち、横側の側面１１の一部を切り欠いた形状の切欠部４１を形成し、第三実施形態の受話部３１と同様の形態の受話部３１を当該切欠部４１内に設けた点にある。
【００５２】
この第四実施形態においては、図１７に示すように、携帯電話機１の通常の使用状態においては、受話部３１を切欠部４１内に横倒しにした状態で収容され、一方、例えば、雑音の多い環境下での使用時には、図１７に示すように、横倒し状態の受話部３１を、同図１７中矢示方向へ回転させることで、図１４に示すように、受話部３１を起立状態に変位させて、イヤホンと同様に使用することができる。
【００５３】
図１８は、第五実施形態を示す。この第五実施形態は、第一筐体２と第二筐体３とが縦方向へスライド自在に設けられている直線スライドタイプの携帯電話機１に本発明を適用した状態を示す。この第五実施形態の特徴は、携帯電話機１の不使用に際し、第二筐体３を矢示方向へスライドさせる状態において、受話部１２が収容される切欠部５１が設けられている点にある。切欠部５１は、携帯電話機１の不使用に際して受話部１２が収容される位置に形成されるものであって、この第五実施形態においては、受話部１２が第一筐体２の上端左隅の縁部を切り欠いた形状に形成されている。
【００５４】
図１９は、第六実施形態を示す。この第六実施形態は、第一筐体２と第二筐体３とが横方向へスライド自在に設けられている直線スライドタイプの携帯電話機１に本発明を適用した状態を示す。この第六実施形態の特徴は、携帯電話機１の不使用に際し、第二筐体３を矢示方向へスライドさせる状態において、受話部１２が収容される切欠部６１が設けられている点にある。切欠部６１は、携帯電話機１の不使用に際して受話部１２が収容される位置に形成されるものであって、この第六実施形態においては、受話部１２が第一筐体２の上部左隅部に形成され、切欠部６１は第二筐体３の左側面の縁部、即ち、左側面の上部に形成されている。
【００５５】
図２０は、第七実施形態を示す。この第七実施形態は、第一筐体２に対して第二筐体３が回転可能に設けられている円弧スライドタイプの携帯電話機１に本発明を適用した状態を示す。この第七実施形態の特徴は、携帯電話機１の不使用に際し、第二筐体３を矢示方向へ回転させる状態において、受話部１２が収容される切欠部７１が第二筐体３に設けられている点にある。
【００５６】
前記切欠部７１は、携帯電話機１の不使用に際して受話部１２が収容される位置に形成されるものであって、この第七実施形態においては、受話部１２が第一筐体２の上部左隅の縁部を切り欠いた形状に形成されている。
【００５７】
前記実施形態においては、受話部１２がスピーカを内蔵することによって、通話相手の音声を音波によって伝えるようにした場合について説明したが、受話部１２が通話相手の音声に併せて振動するように構成することによって、通話相手の音声を骨伝導によって伝えることができる。
【００５８】
以上の説明において、受話部１２，２１，３１、切欠部１５，２１，３４，４１、５１，６１，７１の形状、及び位置については例示であって、特許請求の範囲を逸脱しない範囲内において、種々の形態に適用できるものである。
【図面の簡単な説明】
【００５９】
【図１】図１は、折り畳み式携帯電話機を開いた状態の斜視図である。（第一実施形態）
【図２】図２は、折り畳み式携帯電話機を開いた状態の正面図である。（第一実施形態）
【図３】図３は、図２の左側面図である。（第一実施形態）
【図４】図４は、図２の上面図である。（第一実施形態）
【図５】図５は、図２の下面図である。（第一実施形態）
【図６】図６は、携帯電話機を折り畳んだ状態を示す。（第一実施形態）
【図７】図７は、折り畳み式携帯電話機を開いた状態の正面図である。（第二実施形態）
【図８】図８は、図７の左側面図である。（第二実施形態）
【図９】図９は、図７の下面図である。（第二実施形態）
【図１０】図１０は、折り畳み式携帯電話機を開いた状態の斜視図である。（第三実施形態）
【図１１】図１１は、受話部の斜視図である。（第三実施形態）
【図１２】図１２は、受話部を起立させた状態の携帯電話機の正面図である。（第三実施形態）
【図１３】図１３は、図１２の左側面図である。（第三実施形態）
【図１４】図１４は、図１２の上面図である。（第三実施形態）
【図１５】図１５は、受話部を横倒しにした状態の携帯電話機の正面図である。（第三実施形態）
【図１６】図１６は、図１５の上面図である。（第三実施形態）
【図１７】図１７は、受話部を横倒しにした状態の携帯電話機の正面図である。（第四実施形態）
【図１８】図１８は、第五実施形態を示す携帯電話機の正面図である。（第五実施形態）
【図１９】図１９は、第六実施形態を示す携帯電話機の正面図である。（第六実施形態）
【図２０】図２０は、第七実施形態を示す携帯電話機の正面図である。（第七実施形態）
【図２１】図２１は、従来技術の携帯電話機の斜視図である。（従来技術）
【符号の説明】
【００６０】
１  携帯電話機
２  第一筐体
３  第二筐体
１２  受話部
１３  送話部
１４  受話孔
１５  切欠部
２１  収容部
３１  受話部
３２  第一の受話孔
３３  第二の受話孔
３４  切欠部
４１  切欠部
５１  切欠部
６１  切欠部
７１  切欠部
【図１】
2009147680.tif 000003
【図２】
2009147680.tif 000004
【図３】
2009147680.tif 000005
【図４】
2009147680.tif 000006
【図５】
2009147680.tif 000007
【図６】
2009147680.tif 000008
【図７】
2009147680.tif 000009
【図８】
2009147680.tif 000010
【図９】
2009147680.tif 000011
【図１０】
2009147680.tif 000012
【図１１】
2009147680.tif 000013
【図１２】
2009147680.tif 000014
【図１３】
2009147680.tif 000015
【図１４】
2009147680.tif 000016
【図１５】
2009147680.tif 000017
【図１６】
2009147680.tif 000018
【図１７】
2009147680.tif 000019
【図１８】
2009147680.tif 000020
【図１９】
2009147680.tif 000021
【図２０】
2009147680.tif 000022
【図２１】
2009147680.tif 000023